【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
ピペットチップ結合装置とピペットチップのアセンブリであって、
前記ピペットチップが、内面を含み前記ピペットチップの開口近位端と開口遠位端との間で前記ピペットチップの中央長手軸に沿って延びる開口内側通路を備えた囲繞側壁を有してなり、
前記ピペットチップ結合装置が、
近位端面と、シャンク直径を備えた最大幅のシャンク部分とを有するシャンク、
前記シャンクの遠位にあるカプラ本体であって、カプラ本体直径を備えた最大幅のカプラ本体部分を有し、前記カプラ本体直径が前記シャンク直径より大きい、カプラ本体、
遠位ステム部、
遠位端板、
前記近位端面から前記遠位端板を通って長手方向に延びる開口通路を形成する、端部が開口した内側囲繞面、
前記遠位ステム部の周りに配置され前記遠位端板に隣接するエラストマー要素、および
前記シャンクを囲むピペットチップボールアセンブリであって、複数の球状ボールと、前記複数の球状ボールを支持するための複数の周方向に離間したガイドソケットおよび前記複数の球状ボールを受容および保持するための複数の周方向に離間した円形ボール開口を備えたリング形状の軌道本体と、を有するピペットボールアセンブリ、を有してなる、
ピペットチップ結合装置とピペットチップのアセンブリ。
【請求項２】
前記ピペットチップを前記ピペットチップ結合装置に固定するために、前記複数の球状ボールのそれぞれが前記ピペットチップの前記囲繞側壁の第１の内面に当接し、および
前記エラストマー要素が前記ピペットチップの前記囲繞側壁の第２の内面に当接して前記ピペットチップ結合装置と前記ピペットチップの間の密封が形成される、請求項１記載のピペットチップ結合装置とピペットチップのアセンブリ。
【請求項３】
前記シャンクを移動自在に囲む環状ウェッジをさらに有してなり、
前記環状ウェッジが、第１ウェッジ外周を有する近位ウェッジ面と、前記第１ウェッジ外周より小さい第２ウェッジ外周を有する遠位ウェッジ面と、前記近位ウェッジ面を前記遠位ウェッジ面に連結する外面と、を有してなり、
前記環状ウェッジの前記外面が前記ピペットチップボールアセンブリの前記複数の球状ボールに当接する、請求項２記載のピペットチップ結合装置とピペットチップのアセンブリ。
【請求項４】
前記複数の球状ボール、前記環状ウェッジ、および前記ピペットチップがそれぞれ、導電材料をさらに有してなる、請求項３記載のピペットチップ結合装置とピペットチップのアセンブリ。
【請求項５】
前記環状ウェッジが、前記環状ウェッジの前記外面に配置された複数の周方向に離間した凹面をさらに有してなる、請求項３記載のピペットチップ結合装置とピペットチップのアセンブリ。
【請求項６】
前記リング形状の軌道本体が前記複数の球状ボールを留めるための複数の保持ステークをさらに有してなる、請求項２記載のピペットチップ結合装置とピペットチップのアセンブリ。
【請求項７】
前記複数の球状ボールが半径方向に進退できるように前記ピペットチップボールアセンブリが構成されている、、請求項２に記載のピペットチップ結合装置とピペットチップのアセンブリ。
【請求項８】
前記カプラ本体が、第１筒状部直径を有する近位筒状部と、第２筒状部直径を有する遠位筒状部とをさらに有してなり、
前記第１筒状部直径が前記第２筒状部直径より大きく、遠位側を向いた停止肩面が形成される、請求項２記載のピペットチップ結合装置とピペットチップのアセンブリ。
【請求項９】
前記遠位端板が遠位端板直径を有し、前記第２筒状部直径が前記遠位端板直径より大きい、請求項８記載のピペットチップ結合装置とピペットチップのアセンブリ。
【請求項１０】
前記ピペットチップボールアセンブリが、前記複数の球状ボールを留めるためのボールキーパー保持リングをさらに有してなる、請求項２記載のピペットチップ結合装置とピペットチップのアセンブリ。
【請求項１１】
前記ピペットチップボールアセンブリが、前記複数の球状ボールを留めるための、前記リング形状の軌道本体を囲む保持溝に受容されたスナップリングをさらに有してなる、請求項２記載のピペットチップ結合装置とピペットチップのアセンブリ。
【請求項１２】
前記リング形状の軌道本体の前記複数の周方向に離間した円形ボール開口のそれぞれが、前記複数の球状ボールの１つを留めるための内側環状テーパ面をさらに有してなる、請求項２記載のピペットチップ結合装置とピペットチップのアセンブリ。
【請求項１３】
前記リング形状の軌道本体が前記カプラ本体直径よりも大きなリング形状軌道直径を有し、遠位側を向いた停止肩面が形成される、請求項２記載のピペットチップ結合装置とピペットチップのアセンブリ。
【請求項１４】
前記ピペットチップが、
前記囲繞側壁の前記内面に形成され前記開口近位端より遠位の第１セクションであって、第１の直径を有する筒状上側第１部分と、前記第１の直径を有する筒状下側第１部分と、前記筒状上側第１部分と前記筒状下側第１部分の間に置かれた環状溝とを備え、第１の長さを有する第１セクション、
筒状面を有してなり前記囲繞側壁の前記内面に形成され前記第１セクションより遠位の第２セクションであって、前記第１の直径より小さい第２の直径を有し、第２の長さを有する第２セクション、
前記第１セクションと前記第２セクションとの接合部分で前記囲繞側壁の前記内面に形成された停止肩面、
筒状面を有してなり前記囲繞側壁の前記内面に形成され前記第２セクションより遠位の第３のセクションであって、前記第２の直径より小さい第３の直径を有し、第３の長さを有する第３セクション、
前記囲繞側壁の前記内面に形成され前記第２セクションと前記第３セクションとの間に置かれた密封座部、および
前記第３セクションと前記開口遠位端との間で前記第３セクションに隣接して前記囲繞側壁の前記内面に形成された少なくとも１つの円錐台形セクションをさらに有してなり、
前記複数の球状ボールのそれぞれが前記第１セクションの前記環状溝に当接し、および
前記エラストマー要素が前記ピペットチップの前記密封座部に当接して前記ピペットチップ結合装置と前記ピペットチップの間の密封が形成される、請求項１記載のピペットチップ結合装置とピペットチップのアセンブリ。
【請求項１５】
前記停止肩面が環状で、前記ピペットチップの前記中央長手軸に垂直な平らな面である、請求項１４記載のピペットチップ結合装置とピペットチップのアセンブリ。
【請求項１６】
前記停止肩面が、上方を向いた環状停止面溝と、上方に延びる囲繞リブとをさらに有してなる、請求項１４記載のピペットチップ結合装置とピペットチップのアセンブリ。
【請求項１７】
前記停止肩面が、前記上方を向いた環状停止面溝に内部シールをさらに有してなる、請求項１６記載のピペットチップ結合装置とピペットチップのアセンブリ。
【請求項１８】
前記密封座部が、環状で、前記ピペットチップの前記中央長手軸に垂直な平らな面である、請求項１４記載のピペットチップ結合装置とピペットチップのアセンブリ。
【請求項１９】
前記密封座部が、円錐台形の環状面であり、前記第２セクションとの接合部分に上側環状密封座面端、前記第３セクションとの接合部分に下側環状密封座面端、および前記上側環状密封座面端と前記下側環状密封座面端との間に置かれた密封座面をさらに有してなり、
前記上側環状密封座面端が前記下側環状密封座面端よりも直径が大きい、請求項１４記載のピペットチップ結合装置とピペットチップのアセンブリ。
【請求項２０】
前記囲繞側壁の前記内面に形成され、前記開口近位端から半径方向内方に延び、前記第１セクションの近位端で終端する、環状の面取りされた内面をさらに有してなる、請求項１４記載のピペットチップ結合装置とピペットチップのアセンブリ。
【請求項２１】
前記少なくとも１つの円錐台形セクションが、前記囲繞側壁の内面に形成され前記第３セクションより遠位の第４セクションと、前記囲繞側壁の内面に形成され前記第４セクションより遠位で前記開口遠位端の近位の第５セクションとをさらに有してなり、
前記第５セクションが前記第４セクションより大きなテーパを有する、請求項１４記載のピペットチップ結合装置とピペットチップのアセンブリ。
【請求項２２】
前記シャンクを移動自在に囲む環状ウェッジをさらに有してなり、
前記環状ウェッジが、第１ウェッジ外周を有する近位ウェッジ面と、前記第１ウェッジ外周より小さい第２ウェッジ外周を有する遠位ウェッジ面と、前記近位ウェッジ面を前記遠位ウェッジ面に連結する外面と、を有してなり、
前記環状ウェッジの前記外面が前記ピペットチップボールアセンブリの前記複数の球状ボールに当接する、請求項１４記載のピペットチップ結合装置とピペットチップのアセンブリ。
【請求項２３】
前記複数の球状ボール、前記環状ウェッジ、および前記ピペットチップがそれぞれ、導電材料をさらに有してなる、請求項２２記載のピペットチップ結合装置とピペットチップのアセンブリ。
【請求項２４】
前記環状ウェッジが、前記環状ウェッジの前記外面に配置された複数の周方向に離間した凹面をさらに有してなる、請求項２２記載のピペットチップ結合装置とピペットチップのアセンブリ。
【請求項２５】
前記環状ウェッジの前記外面に配置された前記複数の周方向に離間した凹面のそれぞれが、前記複数の球状ボールのそれぞれと形状が相補的である、請求項２４記載のピペットチップ結合装置とピペットチップのアセンブリ。
【請求項２６】
前記リング形状の軌道本体が、前記複数の球状ボールを留めるための複数の保持ステークをさらに有してなる、請求項１４記載のピペットチップ結合装置とピペットチップのアセンブリ。
【請求項２７】
前記カプラ本体が、第１筒状部直径を有する近位筒状部と、第２筒状部直径を有する遠位筒状部とをさらに有してなり、
前記第１筒状部直径が前記第２筒状部直径より大きく、遠位側を向いた停止肩面が形成される、請求項１４記載のピペットチップ結合装置とピペットチップのアセンブリ。
【請求項２８】
前記遠位端板が遠位端板直径を有し、
前記第２筒状部直径が前記遠位端板直径より大きい、請求項２７記載のピペットチップ結合装置とピペットチップのアセンブリ。
【請求項２９】
前記遠位側を向いた停止肩面が、前記ピペットチップの前記停止肩面に着座するように構成される、請求項２７記載のピペットチップ結合装置とピペットチップのアセンブリ。
【請求項３０】
前記リング形状の軌道本体が、前記カプラ本体直径より大きなリング形状軌道直径を有し、遠位側を向いた停止肩面が形成され、および
前記遠位側を向いた停止肩面が、前記ピペットチップの前記停止肩面に着座するように構成される、請求項１４記載のピペットチップ結合装置とピペットチップのアセンブリ。